(57)【特許請求の範囲】
【請求項１】
ハンドルの回転操作によって回転させられるロータと、前記ロータの回転により案内された釣り糸が外周に巻き付けられるスプールと、前記スプールの中心部に固定されたスプール軸とを有するスピニングリールに設けられ、前記ハンドルの回転操作に伴って前記スプールを往復動させるための往復動装置であって、
前記スプール軸に沿って配置され、外周に螺旋状の溝が形成された回転自在な螺軸と、
前記ロータに連結されるとともに前記ハンドルからの回転力を前記螺軸に伝達するために設けられた歯車と、
前記螺軸の外周の一側面側にのみ対向するスライダー本体と、前記スライダー本体に収納され前記螺旋状溝に係合する係合部材とを有し、前記スプール軸に対して軸方向に固定されるとともに前記螺軸の回転により前記スプール軸とともに往復動する摺動部材と、
前記スプール軸に沿って配置され、前記摺動部材の往復動を案内するためのガイド軸と、
を有するスピニングリールの往復動装置。
【請求項２】
前記歯車の前記螺軸に対する回転数比は１．５以上である、請求項１に記載のスピニングリールの往復動装置。
【請求項３】
前記ハンドルに固定され前記歯車と噛み合う主歯車と、前記螺軸に固定され前記歯車と噛み合う中間歯車とをさらに有している、請求項２に記載のスピニングリールの往復動装置。
【請求項４】
前記歯車の前記螺軸に対する回転数比は、１．８〜２．５である、請求項１から３のいずれかに記載のスピニングリールの往復動装置。
【請求項５】
前記螺軸に形成された螺旋状溝のリード角が２０゜〜４５゜である、請求項１から４のいずれかに記載のスピニングリールの往復動装置。
【請求項６】
ハンドルが回転自在に装着されたリール本体と、
糸案内部を有し、前記ハンドルによって回転させられるロータと、
前記リール本体に対して前後方向に往復動自在に支持されたスプール軸と、
前記スプール軸に固定され、前記糸案内部によって案内された釣り糸が外周に巻かれるスプールと、
前記スプール軸を往復動させるための往復動機構とを備え、
前記往復動機構は、
前記スプール軸に沿って配置され、外周に螺旋状の溝が形成された回転自在な螺軸と、
前記ロータに連結されるとともに前記ハンドルからの回転力を前記螺軸に伝達するために設けられた歯車と、
前記螺軸の外周の一側面側にのみ対向するスライダー本体と、前記スライダー本体に収納され前記螺旋状溝に係合する係合部材とを有し、前記スプール軸に対して軸方向に固定されるとともに前記螺軸の回転により前記スプール軸とともに往復動する摺動部材と、
前記スプール軸に沿って配置され、前記摺動部材の往復動を案内するためのガイド軸と、
を有している、
スピニングリール。
【発明の詳細な説明】
【０００１】
【発明の属する技術分野】
本発明は、往復動装置、特に、スピニングリールに設けられ、ハンドルの回転装置に伴ってスプールを往復動させるためのスピニングリールの往復動装置に関する。また本発明は、前述のような往復動装置を有するスピニングリールに関する。
【０００２】
【従来の技術】
一般にスピニングリールは、リール本体と、リール本体に回転自在に支持されたロータと、外周に釣り糸が巻かれるスプールとを有している。ロータは、１対のアーム部を有しており、両アーム部の間には糸巻取り姿勢と糸開放姿勢との間で開閉自在なベールが設けられている。また、一方のアーム部先端には、糸巻取り時に巻き取られた釣り糸をスプール外周に案内するためのラインローラが設けられている。
【０００３】
このようなスピニングリールでは、ベール及びラインローラによって案内された釣り糸を、スプール外周に前後方向に均一に巻くためのレベルワインド機構が設けられている。レベルワインド機構は、スプールが固定されたスプール軸と平行に配置された螺軸と、螺軸を回転するための歯車機構と、螺軸を摺動するスライダーとを有している。螺軸の外周には螺旋状の溝が形成されており、スライダーの一部がこの溝に係合している。また、スライダーはスプール軸の後端に装着されており、スライダーが螺軸に沿って往復動することにより、スプール軸及びスプールも同様に往復動する。このように、ハンドルの回転操作に伴ってスプールを往復動させることにより、スプール外周に釣り糸が均一に巻かれる。
【０００４】
【発明が解決しようとする課題】
従来のレベルワインド機構では、ハンドル１回転につき螺軸が３．５〜３．８回転しており、このためスプールの往復動の速度が比較的速い。したがって、スプールに対して釣り糸が前後方向に粗く巻かれてしまい、効率良く釣り糸を巻くことが困難である。このため、スプールに巻くことのできる釣り糸の長さが短くなってしまう。
【０００５】
そこで、螺軸の溝のねじれ角度（軸線に直交する線と溝との間の角度）を小さくして、すなわち螺旋状の溝の螺旋ピッチを小さくしてスプールの移動速度を低くすることが考えられる。しかし螺軸の溝の螺旋ピッチを小さくすると、螺軸の溝の交差部が増加することとなり、スライダーの一部（係合部材としてのクロスギヤピン）と交差部とが接触する回数が増える。クロスギヤピンと溝の交差部とが接触すると振動が発生するので、ハンドル回転時の感触が良くないという問題が発生する。
【０００６】
本発明の課題は、スピニングリールのリール本体を大きくすることなく、釣り糸を効率良くスプールに巻くことができるようにすることにある。
本発明の他の課題は、スピニングリールにおいて、釣り糸を効率良くスプールに巻くことができるようにすることにある。
本発明の他の課題は、スピニングリールにおいて、ハンドル回転時の回転フィーリングを悪化させることなく釣り糸を効率よくスプールに巻くことができるようにすることにある。
【０００７】
【課題を解決するための手段】
発明１に係る往復動装置は、ハンドルの回転操作により回転させられるロータと、ロータの回転によって案内された釣り糸が外周に巻き付けられるスプールと、スプールの中心部に固定されたスプール軸とを有するスピニングリールに設けられ、ハンドルの回転操作に伴ってスプールを往復動させるための装置であり、螺軸と歯車と摺動部材とガイド軸とを有している。螺軸は、スプール軸に沿って配置され、外周に螺旋状の溝が形成された回転自在な軸である。歯車は、ロータに連結されるとともにハンドルからの回転力を螺軸に伝達するために設けられたものである。摺動部材は、螺軸の外周の一側面側にのみ対向するスライダー本体と、スライダー本体に収納され螺旋状溝に係合する係合部材とを有し、スプール軸に対して軸方向に固定されるとともに螺軸の回転によりスプール軸とともに往復動する。ガイド軸は、スプール軸に沿って配置され、摺動部材の往復動を案内するためのものである。
【０００８】
この場合は、ハンドルを回転操作すると、この回転力は歯車を介して螺軸に伝達される。螺軸が回転すると、螺軸外周の螺旋状溝に係合する摺動部材は、螺軸に沿って前後方向に往復動する。摺動部材はスプール軸に対して軸方向に固定されているので、摺動部材が往復動することにより、スプール軸及びスプールが同様に前後方向に往復動する。これにより、スプール外周に前後方向に均一に釣り糸が巻かれる。
【０００９】
ここでは、ガイド軸を設けているので摺動部材をスムーズに往復動させることができる。したがって、摺動部材は、螺軸の外周の全周を覆うような形状にする必要がなく、摺動部材及びその外周を覆うリール本体を小型化できる。
発明２に係る往復動装置は、発明１の装置において、歯車の螺軸に対する回転数比が１．５以上である。この場合には、歯車は螺軸に対する回転数比が１．５以上になるように設定されている。このため、螺軸の回転数が従来の装置に比較して低くなり、スプールが比較的遅い速度で往復動する。したがって、より密にスプール外周に釣り糸が巻かれることとなり、効率良く釣り糸を巻くことができる。また、螺軸の溝のねじれ角度を大きくする必要がないので、溝の交差部の数が増えることはなく、ハンドル回転時のフィーリングの劣化を避けられる。
【００１０】
発明３に係る往復動装置は、発明２の装置において、前記ハンドルに固定され前記歯車と噛み合う主歯車と、前記螺軸に固定され歯車と噛み合う中間歯車とをさらに有している。
この場合は、ハンドルの回転は、このハンドルに固定された主歯車を介して一旦歯車に伝達され、さらに歯車に噛み合う中間歯車を介して螺軸に伝達される。ここでは、遊星歯車等の複雑な構造を用いることなく歯車の螺軸に対する回転数比を１．５以上にしているので、構造が簡単になる。
【００１１】
発明４に係る往復動装置は、発明１から３のいずれかに記載の装置において、前記歯車の前記螺軸に対する回転数比は、１．８〜２．５である。ここでは、装置を大型化することなく釣り糸を効率良く巻くことができる。
発明５に係る往復動装置は、発明１から４のいずれかに記載の装置において、前記螺軸に形成された螺旋状溝のリード角が２０゜〜４５゜である。ここでは、溝間の肉厚が薄くなるのが抑えられるとともに溝の交差部の数が増えるのを抑えられ、しかも回転から直線運動への変換効率が低下しない。
【００１２】
発明６に係るスピニングリールは、ハンドルが回転自在に装着されたリール本体と、糸案内部を有しハンドルによって回転させられるロータと、リール本体に対して前後方向に往復動自在に支持されたスプール軸と、スプール軸に固定され糸案内部によって案内された釣り糸が外周に巻かれるスプールと、スプール軸を往復動させるための往復動機構とを備えている。そして、前記往復動機構は螺軸と歯車と摺動部材とガイド軸とを有している。螺軸は、スプール軸に沿って配置され、外周に螺旋状の溝が形成された回転自在な軸である。歯車は、ロータに連結されるとともにハンドルからの回転力を螺軸に伝達するために設けられたものである。摺動部材は、螺軸の外周の一側面側にのみ対向するスライダー本体と、スライダー本体に収納され螺旋状溝に係合する係合部材とを有し、スプール軸に対して軸方向に固定されるとともに螺軸の回転によりスプール軸とともに往復動する。
【００１３】
ここでは、発明１と同様に、ガイド軸を設けているので摺動部材をスムーズに往復動させることができる。したがって、摺動部材は、螺軸の外周の全周を覆うような形状にする必要がなく、摺動部材及びその外周を覆うリール本体を小型化できる。
【００１４】
【発明の実施の形態】
第１実施形態
〔全体構成及びリール本体の構成〕
図１〜図３に示す本発明の一実施例によるスピニングリールは、ハンドル１を備えたリール本体２と、リール本体２の前部に回転自在に支持されたロータ３と、ロータ３の前部に配置され釣り糸を巻き取るスプール４とを備えている。
【００１５】
リール本体２はボディ２ａを有しており、その上部にはスピニングリールを釣り竿に取り付けるための取付け部２ｂが形成されている。ボディ２ａの内部には、ロータ３を回転させるためのロータ駆動機構５と、スプール４を回転軸芯Ｘに沿って前後方向に移動させてスプール４に釣り糸を均一に巻き取るためのレベルワインド機構６とが設けられている。
【００１６】
ロータ駆動機構５は、ハンドル１が固定された軸１０とともに回転するフェースギア１１と、このフェースギア１１に噛み合うピニオンギア１２とを有している。ピニオンギア１２は筒状に形成されており、その前部１２ａはロータ３の中心部を貫通してスプール４側に延びている。そして、その先端にはねじ部が形成されている。ピニオンギア１２は、その軸方向の中間部と後端部とが、それぞれ軸受１３，１４を介してリール本体２に回転自在に支持されている。
【００１７】
レベルワインド機構６は、スプール４の中心部に固定されたスプール軸２０を前後方向に移動させてスプール４を同方向に移動させるための機構である。レベルワインド機構６は、スプール軸２０の下方に配置された螺軸２１と、螺軸２１に沿って前後方向に移動するスライダー２２と、螺軸２１の先端に固定された中間ギア２３とを有している。螺軸２１は、スプール軸２０と平行に配置されており、ボディ２ａに回転自在に支持されている。また、螺軸２１の外周部には螺旋状の溝２１ａが形成されている。この溝２１ａのリード角θは、２０〜４５゜に設定されている。なお、螺旋溝２１ａのリード角θとは、溝２１ａの底径をＤ、螺軸２１の１回転で進む軸方向の長さすなわちリードをＬとした場合、
リード角θ＝アークｃｏｔ（πＤ／Ｌ）
で表される角度である。このリード角が２０゜より小さい場合は溝間の肉厚が薄くなるとともに溝の交差部の数が増加するので好ましくない。一方、４５゜を越えると、回転運動から直線運動への変換効率が低下するので好ましくない。
【００１８】
スライダー２２にはスプール軸２０の後端が固定されている。また、中間ギア２３はピニオンギア１２に噛み合っている。
ここで、ピニオンギア１２及び中間ギア２３は、ピニオンギア１２の螺軸２１に対する回転数比が１．５以上、好ましくは１．８〜２．５になるようにそれぞれの歯数が設定されている。なお、前記回転数比が１．５未満になると釣り糸巻き上げ時の効率の向上が望めない。また、前記回転数比が１．８以上の場合は効率の向上が著しく、２．５を越えると、中間ギア２３の径が大きくなりすぎ、リール本体２の小型化が困難となる。
【００１９】
〔スライダーの構造〕
スライダー２２は、図４及び図５に示すように、スライダー本体２５と、スライダー本体２５内に収納された係合部材２６とを有している。
スライダー本体２５は、スプール軸２０に対して軸方向に移動不能に固定されるとともに、スプール軸２０と平行に配置された２本のガイド軸２８，２９に摺動自在に装着されている。なお、スプール軸２０のスライダー本体２５と嵌合する部分には切欠き２０ａが形成されており、外周の一部が平坦になっている。そして、スライダー本体２５の対応する孔も完全な円形ではなく、切欠き２０ａに対応する平坦部を有している。このような嵌合により、スライダー本体２５は、スプール軸２０に対して相対回転が禁止されている。スライダー本体２５は、２本のガイド軸２８，２９によって案内されるので、摺動時の傾きが防止される。このため、スライダー本体２５を、従来のスライダー本体のように螺軸全周を覆うような形状とする必要がない。このため本実施例のスライダー本体２５は、螺軸２１の一側面側にのみ対向するような形状となっており、他側面側への張り出しが少なくなっている。したがってリール本体を小さくすることが可能である。
また、スライダー本体２５には螺軸２１と直交するように横方向の孔２５ａが形成されており、この孔２５ａに係合部材２６が摺動自在に挿入されている。係合部材２６の先端には、螺軸２１の溝２１ａに噛み合う係合部２６ａが形成されている。スライダー本体２５の孔２５ａの一端には、蓋部材２４が固定されている。
【００２０】
〔ロータの構成〕
ロータ３は、図１に示すように、円筒部３０と、円筒部３０の側方に互いに対向して設けられた第１アーム部３１及び第２アーム部３２とを有している。円筒部３０と両アーム部３１，３２とは一体成形されている。
円筒部３０の前部には前壁３３が形成されており、前壁３３の中央部にはボス３３ａが形成されている。ボス３３ａの中心部には貫通孔が形成されており、この貫通孔をピニオンギア１２の前部１２ａ及びスプール軸２０が貫通している。前壁３３の前方側にはナット３４が配置されており、このナット３４がピニオンギア１２の先端ねじ部に螺合している。ナット３４の内周部には、スプール軸２０を回転自在に支持する軸受３５が配置されている。
【００２１】
第１アーム部３１の先端の内周側には、第１ベール支持部材４０が揺動自在に取り付けられている。第１ベール支持部材４０の先端には、釣り糸をスプール４に案内するためのラインローラ４１が装着されている。また、第２アーム部３２の先端の内周側には、第２ベール支持部材４２が揺動自在に装着されている。この第２ベール支持部材４２は、たとえば他の部分より比重の大きい材質で構成し、第１ベール支持部材４０及びラインローラ４１に起因する回転時のアンバランスを解消するためのバランサとして機能させることも可能である。第１ベール支持部材４０先端のラインローラ４１と第２ベール支持部材４２との間には、ベール４３が設けられている。このように、第１ベール支持部材４０を第１アーム部３１の内周側に装着することにより、第１ベール支持部材４０の回転半径が小さくなり、釣り竿を持つ手に当たりにくくなる。したがって、スプールと釣り竿とを近づけることができ、全体として小型化が可能となる。さらに、同様の理由により、回転半径が小さくなり、回転時のアンバランスを抑えやすくなる。
【００２２】
また、各アーム部３１，３２の外周側には、カバー４４，４５が取り付けられている。このカバー４４，４５の表面は、前後方向にかつ円周方向に滑らかに連続する形状となっており、このため、釣り糸の引っ掛かりを防止できる。
ここで、両ベール支持部材４０，４２は、一本の揺動軸Ｍを中心に揺動自在である。そして、揺動軸Ｍと第１アーム部３１の第１ベール支持部材取り付け面とが交差する点を揺動中心Ｃ１とし、揺動軸Ｍと第２アーム部３２の第２ベール支持部材取り付け面とが交差する点を揺動中心Ｃ２とした場合、揺動中心Ｃ２は揺動中心Ｃ１に比較して前方側に位置している。すなわち、揺動軸Ｍは回転軸芯Ｘに対して傾いている。また、各ベール支持部材４０，４２は、それらの揺動面が揺動軸Ｍに対して直交するように配置されている。
【００２３】
また、図６及び図７に示すように、第１アーム部３１は、リール本体側の後部が回転軸芯Ｘよりも糸巻取り姿勢のベール側に偏位している。そして、軸方向中央部から前方側にかけては、逆側（糸解放姿勢のベール側）に傾斜している。このように、後部が糸巻取り姿勢のベール側に偏位していることによって、図６の一点鎖線で示すように、ベール４３を糸解放姿勢側に倒した際に、ベール４３と第１アーム部３１との干渉が少なくなる。また、第１ベール支持部材４０及びラインローラ等に起因する回転時のアンバランスを抑えることができる。一方、第２アーム部３２は、図７に示すように、全体がほぼ直線状に延びている。さらに、第１及び第２ベール支持部材４０，４２の揺動中心は、回転軸芯Ｘから糸解放姿勢のベール側にＤだけ偏位している。これにより、ベール４３に起因する回転時のアンバランスを抑えられる。
【００２４】
ここで、第２ベール支持部材４２の取付部分について詳細に説明する。
第２アーム部３２の第２ベール支持部材４２を取り付ける先端内側面３２ａは、回転軸芯Ｘに対して外方に開いている。そして、第２ベール支持部材４２と第２アーム部３２の先端内側面３２ａとの間には、樹脂製のスペーサ４６が配置されている。スペーサ４６の一端側にはカラー部４６ａが一体で形成されており、このカラー部４６ａが第２ベール支持部材４２の揺動軸部を支持している。なお、第２ベール支持部材４２の揺動軸部先端には、抜け止め用のＥ型止め輪４７が装着されている。このように、樹脂製のスペーサ４６を設けて第２アーム部３２先端の内側面３２ａを外方に開くように形成しているので、ロータ３を形成するための金型形成が容易になる。また、第２ベール支持部材４２の揺動軸を樹脂製のカラー部４６ａで支持しているので、振動がカラー部４６ａで吸収されたり、減衰される。特にロータをアルミニウム製とした場合に、この効果は顕著となる。
【００２５】
〔スプールの構成〕
スプール４は、ロータ３の第１アーム部３１と第２アーム部３２との間に配置されており、スプール軸２０の先端にドラグ機構７０を介して装着されている。スプール４は、外周の釣り糸が巻かれる糸巻胴部４ａと、糸巻胴部４ａの後部に一体で形成されたスカート部４ｂと、糸巻胴部４ａの前端に固定されたフランジ板４ｃとを有している。フランジ板４ｃは、ステンレス製の板材で形成されており、ねじによって糸巻胴部４ａに装着されている。このとき、フランジ板４ｃは若干湾曲しており、その湾曲によるばね性を利用して、糸巻胴部４ａの前端とフランジ板４ｃとの間に隙間が形成されないように取り付けられている。このため、釣り糸がこれらの間に侵入することはない。
【００２６】
ドラグ機構７０は、スプール４の内部前端面に押し付けられる押し付け部材７１と、ドラグ力を調整するための調整つまみ７２と、押し付け部材７１と調整つまみ７２との間に配置された押圧ばね７３，７４と、押し付け部材７１とスプール４との間に配置された複数のクラッチ板７５とを有している。このような構成では、調整つまみ７２の締め付け量を調整することにより、押し付け部材７１のスプール４に対する押圧力を調整でき、ドラグ力を調整可能である。
【００２７】
〔リールの操作及び動作〕
キャスティング時には、ベール４３を糸開放姿勢側に倒す。これにより、第１及び第２ベール支持部材４０，４２は揺動軸Ｍを中心として同方向に回転する。このとき、第１ベール支持部材４０は第１アーム部３１の内周側に配置され、かつ揺動軸Ｍが回転軸芯Ｘに対して図１に示すように傾いているので、第１ベール支持部材４０及びその先端のラインローラ４１は糸巻取り姿勢時の位置よりもさらに内周側に移動する。このため、キャスティング時に繰り出された釣り糸が第１ベール支持部材４０やラインローラ４１に絡みにくくなる。また、揺動軸Ｍは回転軸芯Ｘに対して傾いているが、両ベール支持部材４０，４２は１本の揺動軸Ｍを中心に回転し、かつそれぞれの回転面は揺動軸Ｍに対して垂直である。このため、ベール４３を操作する際には、こじることなくスムーズに操作することができる。
【００２８】
釣り糸巻取り時には、ベール４３を糸巻取り姿勢側に倒す。この状態でハンドル１を回転させると、この回転力はハンドル軸及びフェースギア１１を介してピニオンギア１２に伝達される。このピニオンギア１２に伝達された回転力は、ピニオンギア前部１２ａを介してロータ３に伝達される。
一方、ピニオンギア１２に噛み合う中間ギア２３によって螺軸２１が回転し、この螺軸２１の溝２１ａに噛み合うスライダー２２がガイド軸２８，２９に案内されて前後方向に移動する。このため、スプール軸２０及びスプール４が回転軸芯Ｘに沿って前後方向に往復動し、ベール４５及びラインローラ４１によってスプール４に案内された釣り糸は、スプール４の外周に前後方向に均一に巻き取られる。ここで、ピニオンギア１２の螺軸２１に対する回転数比を１．５以上にしているので、スプール４の移動速度を従来装置に比較して低くでき、釣り糸巻き上げ時の効率を向上できる。また、釣り糸を多量に巻くことができる。
【００２９】
また、スライダー２２は２本のガイド軸２８，２９に案内されて往復動するので、回転したりあるいは傾いたりすることなくスムーズに往復動する。このため、スライダー本体２５は螺軸２１の全周を覆う必要がなく、係合部材２６と逆側のスペースを小さくできる。このため、リール本体２の後方部分については、横方向に突出を少なくできる。
【００３０】
〔ロータ回転時のアンバランスについて〕
ロータ３の回転時には、ベール４３等の部材に起因して回転時のアンバランスが生じやすい。このため本実施例では、ベール支持部材４０，４２、ラインローラ４１及びベール４３によるアンバランスを解消するために、両アーム部３１，３２の後端部を糸巻取り姿勢のベール側に偏位させて配置し、さらに各ベール支持部材４０，４２を、その揺動軸が回転軸芯Ｘに対して糸開放姿勢のベール側に偏位するように配置している。さらに、ラインローラ４１に起因するアンバランスは、第２ベール支持部材４２を第１ベール支持部材４０よりも前方側に配置することにより抑えられる。また、この第２ベール支持部材を他の部材に比較して比重の高い重量物で構成することにより、バランサとして機能させることが可能である。
【００３１】
第２実施形態
前記第１実施形態では、ドラグ機構がスプール４の前部に設けられているタイプのスピニングリールについて説明したが、図８及び図９に示す第２実施形態のリールではドラグ機構がリールの後方に設けられている。
このリアドラグタイプのスピニングリールにおいても、スライダー部分の構成は前記実施形態とほぼ同様であり、図９にその構成を示している。
【００３２】
図において、前記第１実施形態の構成部品に相当する部分は同一の符号で示している。
このリアドラグタイプでは、スプール軸２０の先端部はピン７９によりスプール４に対して相対回転不能に固定されている。またこのタイプのスピニングリールでは、スプール軸２０とスライダー本体２５とが軸方向に相対移動不能であるとともに、相対回転可能でなければならない。このため、スライダー本体２５においてスプール軸２０に装着されている部分は、前記第１実施形態と異なり円形となっている。また、スライダー本体２５は、スプール軸２０と平行に配置されたガイド軸２８に摺動自在となっている。
【００３３】
この実施形態においても、スライダー本体２５は、ガイド軸２８によって案内されるので、摺動時の傾きが防止される。このため、前記同様にスライダー本体２５を、螺軸全周を覆うような形状とする必要がなく、リール本体を小さくすることが可能である。
次に、第１実施形態と異なる部分、すなわちリアドラグ機構部分について説明する。
【００３４】
図８に示すリアドラグ機構８０は、主に、円筒状のブッシュ８１と、複数の摩擦プレートから構成された摩擦係合部８２と、摩擦係合部８２を押圧するためのスプリング８３と、支持部材８４と、固定キャップ８５とから構成されている。ブッシュ８１はフランジを有しており、このフランジに対して摩擦係合部８２を構成する複数の摩擦プレートが押圧される。固定キャップ８５は、リール本体２の一部に後方に延出して設けられたネジ部に外周側から螺合しており、支持部材８４を所定の位置に位置決めしている。この固定キャップ８５の締め付け量を調整することにより、摩擦係合部８２の各摩擦プレートの押圧力を変更でき、ドラグ力を調節することが可能である。
【００３５】
なお、他の構成は基本的に前記第１実施形態の構成と同様である。
【００３６】
【発明の効果】
以上のように、発明１及び６に係るスピニングリール及びその往復動装置では、摺動部材の往復動を案内するためのガイド軸を備えているので、摺動部材をスムーズに往復動させることができる。したがって、摺動部材を、螺軸の外周の全周を覆うような形状にする必要がなく、摺動部材及びその外周を覆うリール本体を小型化できる。
【００３７】
発明２に係るスピニングリールの往復動装置では、ハンドルの回転操作によって回転させられる歯車の螺軸に対する回転数比を１．５以上としたので、ハンドルの回転操作に対する螺軸の回転数が従来装置に比較して低くなる。このため、スプールが比較的遅い速度で往復動し、スプール外周にはより密に釣り糸が巻かれ、多量の釣り糸を効率良く巻き上げることができる。また、螺軸の溝のねじれ角度を大きくする必要がないので、溝の交差部の数が増えることはなく、ハンドル回転時のフィーリングの劣化を避けられる。
【００３８】
発明３に係るスピニングリールの往復動装置では、ハンドルの回転は、主歯車、歯車及び中間歯車を介して螺軸に伝達される。すなわち、遊星歯車等の複雑な構造を用いることなく歯車の螺軸に対する回転数比を１．５以上にしているので、構造が簡単になる。
発明４に係るスピニングリールの往復動装置では、歯車の螺軸に対する回転数比を１．８〜２．５にしているので、装置を大型化することなく釣り糸を効率良く巻くことができる。
【００３９】
発明５に係るスピニングリールの往復動装置では、螺軸に形成された螺旋状溝のリード角が２０゜〜４５゜であるので、溝間の肉厚が薄くなること及び溝の交差部の数が増えることを抑えられるとともに回転から直線運動への変換効率が低下しない。
【図面の簡単な説明】
【図１】本発明の一実施形態によるスピニングリールの断面正面図。
【図２】前記スピニングリールの釣り竿取り付け部を示す図。
【図３】前記スピニングリールの断面平面図。
【図４】前記スピニングリールの断面背面図。
【図５】スライダーの一部断面構成図。
【図６】ロータの一側面図。
【図７】ロータの他側面図。
【図８】本発明の別の実施形態によるスピニングリールの図１に相当する図。
【図９】別の実施形態の図５に相当する図。
【符号の発明】
１  ハンドル
２  リール本体
３  ロータ
４  スプール
６  レベルワインド機構
１１  フェースギア
１２  ピニオンギア
２０  スプール軸
２１  螺軸
２２  スライダー
２３  中間ギア
２５  スライダー本体
２６  係合部材
２８，２９  ガイド軸
【図１】
0003585474.tif 000002
【図２】
0003585474.tif 000003
【図３】
0003585474.tif 000004
【図４】
0003585474.tif 000005
【図５】
0003585474.tif 000006
【図６】
0003585474.tif 000007
【図７】
0003585474.tif 000008
【図８】
0003585474.tif 000009
【図９】
0003585474.tif 000010